(57)【要約】      （修正有）【課題】複数本のデッキ材の間に形成した隙間から硬貨やカードなどの小物が落下するのを防止する目地材を提供する。【解決手段】目地材３は表面に複数の凸部が形成され、デッキ材１ａ、１ｂの隙間５に嵌った場合には圧縮されて凸部は潰され、デッキ材１ａ、１ｂとの間には断続的な穴状の隙間８、８・・・が形成され、デッキ面に溜まった雨水は流れ落ちるが、硬貨やカードが通過して落下することはない。【選択図】図１
0003228642.tif 000002
【実用新案登録請求の範囲】
【請求項１】
複数本のデッキ材を配列し、該デッキ材の間には隙間を形成したデッキであって、隙間には表面に複数の凸部を形成した目地材が嵌り、隙間に嵌った目地材は圧縮されて凸部は潰され、デッキ材との間には断続的な穴状の隙間を形成したことを特徴とするデッキ材の隙間に嵌る目地材。
【請求項２】
上記目地材は基部に側部を設け、該側部の両側に複数の凸部を形成した請求項１記載のデッキ材の隙間に嵌る目地材。
【考案の詳細な説明】
【技術分野】
【０００１】
本考案はベランダ又はバルコニーなどのデッキを構成する各デッキ材の間に形成される隙間に嵌る目地材に関するものである。
【背景技術】
【０００２】
建物から張り出して設置されるベランダやバルコニーを備えている住宅も数多く見られる。ベランダやバルコニーの使用目的は色々あり、洗濯物を干すための空間として、又は草花を植えた鉢植えを設置するための空間として利用することが出来る。
ところで、ベランダには屋根がなくて雨が降れば床面に直接降り注ぐが、バルコニーには屋根が設けられて、床面となるデッキに雨が直接降り注ぐことはない。しかし、周囲に窓ガラスがないバルコニーであれば、屋根があってもデッキに雨が当たることになる。
【０００３】
その為に、ベランダやバルコニーの床面（デッキ）は雨が当たっても耐久性の高い材質が採用され、また降り注ぐ雨水はデッキ下に流れ落ちる構造と成っている場合が多い。
すなわち、デッキには細長いデッキ材が用いられ、複数本のデッキ材が基礎フレームに配列し、この際、各デッキ材の間には僅かな隙間が設けられ、この隙間から降った雨が流れ落ちることが出来る。
【０００４】
図５は一定幅の細長いデッキ材（イ）、（イ）・・・を配列したデッキ（床面）を表す平面図である。上記デッキ材（イ）、（イ）・・・の間には僅かな隙間（ロ）、（ロ）・・・が設けられている。その為に、該隙間（ロ）、（ロ）・・・から降った雨水は流れ落ちて、デッキ面に雨水が溜まることはない。したがって、雨が上がれば、デッキ面は乾き、デッキ材（イ）、（イ）・・・が腐食し難いように抑制される。
しかし、該隙間（ロ）、（ロ）・・・が存在することで、小物、例えば１０円硬貨や１００円硬貨を落とした際に、隙間（ロ）、（ロ）・・・から床下に落下してしまう虞がある。
【０００５】
特開２０００−４５４９６号に係る「デッキ材の連結構造」は、デッキ材が並設されたテラスやバルコニー等を下方から眺めた場合にデッキ材の連結部分に隙間が目立たず見栄えが良好なデッキ材の連結構造である。
すなわち、偏平な筒状の長尺体からなるデッキ材の一方の側縁部には、その表面板から水平に延出する上舌片と、その底板から上向き段差を経て水平に延出しその先端に上方に向けて立上り片を有する支持板とが形成され、他方の側縁部には上記一方の側縁部と逆相似して、その底板から水平に延出する底舌片と、その上端から下向き段差を経て水平に延出しその先端に下方に向けて係止突起を有する支持板とが形成され、上記両側縁部の立上り片を有する支持板と係止突起を有する支持板とにより幅調節しつつ連結が可能となされている。
【０００６】
特開平７−７６８７４号に係る「バルコニーにおける排水構造」は、バルコニーの上に落ちた雨水などがバルコニー下方に滴り落ちるのを防止している。
すなわち、上部にデッキ材を載せる根太の配設部の下側に、両側および後端部に側壁部を備えた受け皿状の軒天を建物の外壁から外方に向かって下向きに僅かな角度で傾斜するように設け、この軒天の前端部には下向きに折れ曲がった折曲片を備え、軒天配設部の前端部下側において前記折曲片の下端が上端内部に位置するように断面Ｕ型の樋を設け、この樋に排水管を接続してなり、デッキ材などの上に落ちてデッキ材同士の接続部の隙間などから軒天上に落ちた雨水などは軒天で受けられ、その雨水などは前端部の折曲片から樋内に導かれ、排水管から下方に排出されるようにしている。
【特許文献１】特開２０００−４５４９６号に係る「デッキ材の連結構造」
【特許文献２】特開平７−７６８７４号に係る「バルコニーにおける排水構造」
【考案の開示】
【考案が解決しようとする課題】
【０００７】
ベランダやバルコニーのデッキ材の連結部分に隙間が見えないようにしたデッキ構造及びバルコニーの上に落ちた雨水がバルコニー下方に滴り落ちることを防止した排水構造は知られている。
本考案が解決しようとする課題は、各デッキ材の間に隙間を設けて雨水が流れ落ちるようにしたデッキ構造とし、しかし、この隙間から硬貨やカードなどの小物が落下しないように構成したデッキ構造を提供する。
【課題を解決するための手段】
【０００８】
本考案に係るデッキは複数本のデッキ材が隙間を設けて配列した構造とし、この隙間からデッキ面に溜まった雨水が流れ落ちることが出来る。しかし、この隙間から硬貨やカードなどの小物類が落ちないように、隙間には目地材が篏合している。目地材は細長い長尺材であって、その両面又は片面には複数の凸部が形成されている。その為に、上記隙間は長手方向に沿って連続して延びることなく、断続的な穴状の隙間として構成される。
【０００９】
目地材は上記隙間に篏合することが出来、この場合、隙間の幅寸法より大きな厚さを有す目地材は、凸部が圧縮変形して隙間に嵌り、安定して取付けられる。目地材は弾力性を備えた軟質樹脂又はゴム材によって構成されるが、圧縮変形する凸部のみを軟質樹脂又はゴム材とし、中央の基部は硬質樹脂で構成することも出来る。
【考案の効果】
【００１０】
本考案はデッキ材を配列して構成したデッキには所定の間隔で複数の隙間が残っており、この隙間からデッキ面に溜まった雨水は流れ落ちることが出来る。したがって、デッキに載って歩いても滑りにくく、デッキは乾燥して腐食しにくく、その耐久性は向上する。
そして、該隙間には目地材が嵌っていることで、目地材とデッキ材との間に隙間は残っているが、連続した隙間ではなく、断続した穴状の隙間として形成される。
その為に、該穴状の隙間から１００円硬貨、５００円硬貨、及びカードなどの小物類が隙間穴から落下することはない。
【図面の簡単な説明】
【００１１】
【図１】両デッキ材の間にジョイント材が介在され、形成した隙間に目地材が嵌っている場合であり、（ａ）は平面図、（ｂ）は断面図を表している。
【図２】本考案に係る目地材を示す実施例で、（ａ）は正面図、（ｂ）は底面図、（ｃ）は側面図をそれぞれ表わしている。
【図３】両デッキ材の間にＴ型断面のジョイント材が介在し、間に隙間が形成された場合で、（ａ）は平面図、（ｂ）は側面図をそれぞれ表わしている。
【図４】両デッキ材の間に形成された隙間に目地材を嵌める工程を表している。
【図５】デッキ材の間に隙間を有すデッキの表面を示す具体例。
【考案を実施するための形態】
【００１２】
図１は本考案に係るデッキを示す実施例であり、（ａ）は平面図、（ｂ）は断面図を示し、同図の１ａ，１ｂはデッキ材、２はジョイント材、３は目地材をそれぞれ表わしている。
デッキ材１は、その材質が一般に木材又は樹脂材などが用いられた一定断面の長尺材として構成され、デッキはこの一定断面のデッキ材１ａ，１ｂ・・・が配列した構造としている。
【００１３】
長尺材を構成するデッキ材１ａ，１ｂの両側には凹溝４ａ，４ｂが連続して形成され、この凹溝４ａ，４ｂに上記ジョイント材２が嵌り、隣り合うデッキ材１ａ，１ｂの間に適当な隙間５を形成している。ジョイント材２はＴ型断面をした長尺材を成し、隣り合うデッキ材１ａ，１ｂの間に形成される凹溝４ａ，４ｂの全長にわたって取付けることが出来、又は複数の短いジョイント材２，２・・・を該凹溝４ａ，４ｂの所々に取付けることもある。
【００１４】
Ｔ型断面のジョイント材２に形成している両外片６ａ，６ｂが夫々の凹溝４ａ，４ｂに嵌り、中片７は間に形成される隙間５に嵌っている。
Ｔ型断面をしたジョイント材２の中片７はデッキ材１ａ，１ｂの間に形成される下側隙間５に嵌るが、上側に形成される隙間５は開口し、開口している上側隙間５には目地材３が嵌っている。
目地材３は隙間５に嵌っているが、しかし、該隙間５は完全に閉じることはなく、小さい穴状隙間８，８・・・が残されている。
【００１５】
すなわち、連続した隙間ではなく、断続的に形成された穴状隙間８，８・・・が目地材３に沿って形成されている。その為に、針のような細い物が落下すれば、穴状隙間８，８・・・を通過するかもしれないが、硬貨が穴状隙間８，８・・・を通過してデッキ下に落下することはない。
ところで、上記目地材３は細長い長尺材として構成され、隙間５に嵌合した際にデッキ材１ａ，１ｂの側面に当接することが出来るように、軟質樹脂又はゴムなどの圧縮可能な材質を用いて構成している。又は発泡樹脂を使用することもあり、材質に関しては限定しない。
【００１６】
図２は目地材３を示す実施例で、（ａ）は正面図、（ｂ）は底面図、（ｃ）は側面図をそれぞれ表わしている。目地材３は基部９と両側部１０，１０から成り、基部９は細長い帯状体をなし、側部１０，１０は基部９の側面に形成されて凹凸形状をしている。すなわち、複数の凸部１１，１１・・・が突出して形成され、該凸部１１，１１・・・の先端に押圧力が働くならば、圧縮されて潰される。
同図に示す凸部１１は二等辺三角形断面としているが、その形状は限定せず自由であり、例えば半円形、台形などとすることも出来る。
一方、側部として、三角形断面をした凸条を基部９に沿って長手方向に設け、この凸条側部９の所々を切欠いて穴状の隙間８，８・・・を形成することも可能である。
【００１７】
ところで、該目地材３は基部９と両側部１０，１０を有す構造とし、一般には低発泡材を用いて成形される。しかし、該目地材３の材質は限定せず、側部１０，１０は軟質樹脂又はゴムなどの材質にて構成し、基部９は硬質樹脂とすることも出来る。狭い隙間５に目地材３を嵌める際に、全体を軟質樹脂やゴムで構成するよりも、基部９を硬質樹脂製とすることでその形状が安定する為に隙間５に嵌め易い。
そして、側部１０，１０は基部９の中央部にのみ設けているが、基部９と同じ寸法として全面に側部１０，１０を設けることも可能である。
【００１８】
図３は両デッキ材１ａ，１ｂの間にＴ型断面のジョイント材２を介在して隙間５を設けている場合で、（ａ）は平面図、（ｂ）は側面図を示している。同図に示すジョイント材２は短い部材で、所々に配置されて一定幅の隙間５が連続して形成されている。
上記ジョイント材２は、間に形成された隙間５の下側に配置され、ジョイント材２の上側には連続した隙間５が設けられ、この連続した隙間５に目地材３が嵌められる。
【００１９】
図４は隙間５に目地材３を嵌める工程を表している。（ａ）は隙間５に目地材３が嵌ってない場合、（ｂ）は隙間５に目地材３が嵌った状態を表している。目地材３は隙間５の幅寸法より多少大きくなっていて、該隙間５に嵌ることで圧縮される。その為に、全長にわたって形成される隙間５は無くなり、断続的な穴状の隙間８，８・・・と成り、雨水は通過して流れ落ちるが、硬貨やカードなどは穴状隙間８，８・・・を通過することはない。
【符号の説明】
【００２０】
１   デッキ材
２   ジョイント材
３   目地材
４   凹溝
５   隙間
６   外片
７   中片
８   穴状隙間
９   基部
10   側部
11   凸部
【図１】
0003228642.tif 000003
【図２】
0003228642.tif 000004
【図３】
0003228642.tif 000005
【図４】
0003228642.tif 000006
【図５】
0003228642.tif 000007